(57)【要約】  使用者が緊急時に即座に消火器の位置を特定できるようにするための視覚的および／または聴覚的な信号を提供する、消火器に配置された少なくとも１つの表示手段を有する消火器。
2007508885.tif 000002
【特許請求の範囲】
【請求項１】
消火器であって、前記消火器上に取り付けられて、前記消火器の位置について明確な表示をもたらす少なくとも１つの表示手段を有することを特徴とする消火器。
【請求項２】
前記表示手段が、前記消火器の位置について視覚的および／または聴覚的な表示をもたらす、請求項１に記載の消火器。
【請求項３】
消火用の物質、ハンドル、およびピンを収容するための円筒形の本体を備える、請求項１に記載の消火器。
【請求項４】
特定の表示手段、または少なくとも１つの表示手段がＬＥＤである、請求項３に記載の消火器。
【請求項５】
特定のＬＥＤまたは各ＬＥＤが、消火器のシリンダ内に収容された物質を表す色に対応する色を提供する、請求項４に記載の消火器。
【請求項６】
特定の表示手段または任意の１つの表示手段が、前記ピンにまたは前記ピンの直近の位置に取り付けられている、請求項３から５のいずれか１つに記載の消火器。
【請求項７】
表示手段が前記ピンのそれぞれの側に取り付けられている、請求項６に記載の消火器。
【請求項８】
少なくとも１つの表示手段が前記消火器の側面に取り付けられている、請求項３から７のいずれか１つに記載の消火器。
【請求項９】
特定の表示手段または少なくとも１つの表示手段が、前記消火器の基部の付近に配置されている、請求項８に記載の消火器。
【請求項１０】
特定の表示手段または少なくとも１つの表示手段が、ＬＥＤであり、前記ＬＥＤは、好ましくは、光が妨害されずに、前記ＬＥＤから前記消火器の付近の人に伝えられる位置に設けられている、請求項１から９のいずれか１つに記載の消火器。
【請求項１１】
特定の表示手段または少なくとも１つの表示手段が、帯状体に取り付けられたＬＥＤである、請求項１から１０のいずれか１つに記載の消火器。
【請求項１２】
前記帯状体が、特定のＬＥＤまたは各ＬＥＤに電力を供給する手段を備える、請求項１１に記載の消火器。
【請求項１３】
前記帯状体が接着材によって前記消火器に取り付けられている、請求項１１または１２に記載の消火器。
【請求項１４】
消火器用スタンドであって、使用中に前記スタンドに配置された消火器によって妨害されない表面を有し、前記表面が、前記消火器用スタンド上に取り付けられて、前記消火器用スタンドの位置について明確な表示をもたらす少なくとも１つの表示手段を有することを特徴とする、消火器用スタンド。
【請求項１５】
明細書に記載され、添付図面に示されたものと実質的に同一の消火器。
【請求項１６】
明細書に記載され、添付図面に示されたものと実質的に同一のスタンド。
【発明の詳細な説明】
【技術分野】
【０００１】
本発明は消火器に関する。
【背景技術】
【０００２】
火災は、一般の人々の財産や生命を消失し続けている。個人住宅を含む大多数の建物は、少なくとも消防が連絡を受け、火災に対処し消火するために到着するまで、火災の拡大を防ぐために緊急時に使用するための１つまたは複数の消火器を備える。消火器は、異なるタイプの火災に対処するための、たとえば水、二酸化炭素、粉末、またはハロン化合物などの様々な物質を含む。各消火器のシリンダ内に含まれる、異なる物質は一般に、消火器上に目立つ色で描かれている。
【０００３】
消火器は、法律によって建物の各非常口付近の目立つ場所に確保される必要がある。消火器は、それを非常時に使用する必要がある場合、誰にでも容易に利用できるようにする必要がある。
【０００４】
自身の経験により、本発明の出願人は、本出願が取り扱う、現在入手可能であり使用されている消火器の重要な問題点を発見した。
【０００５】
市販の消火器についての特別な問題は、火災が起きた場合に消火器の位置を特定できる能力に関連する。建物内では、各個人が日頃から消火器の位置を認識する必要があるが、火災によって生じる濃い煙は、その場所を容易に即座に見つけるのを妨げる。さらに、火災の状況での訓練をされていない人が続いて陥るパニック状態は、一般には、消火器に対してその人が建物の中でどこにいるか分からなくなる程ひどい方向感覚の喪失を招く。
【０００６】
さらに、消火器の位置が特定された場合でも、消火器のピンはしばしば、濃い煙によって生じる極度の視認性の問題によって、容易に位置を特定することができない。そのような状況では、通常、消火器のシリンダ、ピン、および実際に消火器を使用しようとする人の手をも含めたすべてが、厚い黒い燃えかすによって急速に覆われることとなる。その結果、消火器の特定の部分を数秒のうちに見つけることは容易ではない。したがって、少なくとも非常口に到達し、または救助が来るまで火災を抑えることを可能にする一助とするために消火器を作動させようとすることに、極めて重要な何秒、また何分までもが失われる。
【発明の開示】
【発明が解決しようとする課題】
【０００７】
本発明は、緊急状態で消火器の位置が容易に判断できるようにする、視覚または音声の表示器を有する消火器を提供することによって上述の問題の改善を得ようとするものである。さらに、法律によって、消火器は建物の非常口付近に配置する必要があるので、消火器の位置を特定することは非常口の位置を特定するのを助けることにもなる。
【０００８】
用語「消火器」は、消火ホースを含む、消火することが可能な任意の装置を包含することが意図される。
【課題を解決するための手段】
【０００９】
１つの態様によれば、円筒形の本体、ハンドル、およびピンを備える消火器が提供され、消火器は、その位置についての明確な表示をもたらすための、その上に取り付けられた少なくとも１つの表示手段を有する。
【００１０】
好ましくは、表示手段は、消火器の位置の視覚的な表示をもたらす。あるいは、表示手段は、聴覚的な表示、または視覚的および聴覚的な表示の組み合わせを備える。
【００１１】
好ましくは、その表示手段または少なくとも１つの表示手段は、ＬＥＤである。さらに好ましくは、そのＬＥＤまたは各ＬＥＤは、消火器のシリンダ内に含まれる物質を表す色に対応する色を提供する。
【００１２】
さらに好ましくは、特定の、または、任意の表示手段が、ピンにまたはピンの直近の位置に取り付けられている。さらに好ましくは、表示手段はピンのそれぞれの側に取り付けられている。
【００１３】
好ましい実施形態では、少なくとも１つの表示手段が消火器の側面に、好ましくはその基部の付近に取り付けられている。その表示手段または各表示手段は、好ましくは光が妨害されずにＬＥＤから消火器の付近の人に伝えられる位置にあるＬＥＤである。
【００１４】
好ましくは、その表示手段または各表示手段は、帯状体に取り付けられたＬＥＤである。
【００１５】
さらに好ましくは、帯状体は、そのＬＥＤまたは各ＬＥＤに電力供給する手段を備える。帯状体は好ましくは、帯状体を消火器に取り付ける手段も備える。好ましくは、取付け手段は、適切な接着材の形をとり、あるいは取付け手段は雄／雌リンク機構（ｍａｌｅ／ｆｅｍａｌｅ  ｌｉｎｋｉｎｇ  ｍｅｃｈａｎｉｓｍ）の形を取ることもできる。
【００１６】
第２の態様によれば、消火器用のスタンドが提供され、そのスタンドは、使用中にスタンドに配置された消火器によって妨害されない表面を有し、その表面は、消火器のスタンドの位置についての明確な表示をもたらすためにその上に取り付けられた少なくとも１つの表示手段を有する。
【００１７】
次に添付の概略の図面を参照して、本発明を例として説明する。
【発明を実施するための最良の形態】
【００１８】
まず図１を参照すると、消火器がシリンダ１０、ハンドル１２、およびピン１４を備える。ハンドル１２は、ピン１４が取り外された場合に作動手段を与える２つのアーム１６を備える。
【００１９】
図１から理解できるように、シリンダ１０の側面が、その上に取り付けられたＬＥＤ１８の形の複数の表示手段を有する。ＬＥＤ１８の列がシリンダ１０の周囲全体に延びる。ＬＥＤ１８は、シリンダ１０に個別に取り付けることができ、あるいはシリンダ１０の外側の面に埋め込まれ、もしくは一体に形成できる。
【００２０】
ＬＥＤ１８は、消火器のシリンダ１０内に含まれる物質に関連する色を伝えるように選択できる。その結果、使用者は、各消火器のタイプを見分けることができ、したがって、ＬＥＤ１８によって伝えられた色によって、その状況で使用される正しい消火器を選択する。
【００２１】
ＬＥＤ１８の列は、煙が上昇し、したがってＬＥＤ１８が低いレベルで目に見える可能性がより高くなることから、好ましくはシリンダ１０の底部付近に位置決めされる。さらに、ＬＥＤ１８が床に対して低く設けられることは、非常口に向けて導く通路の少なくとも一部が照らされ、したがって火災の状況で目に見えることを意味する。
【００２２】
しかし、ＬＥＤ１８は、シリンダ１０から離れて十分な距離から目に見えることを条件として、シリンダ１０の外側の面の任意の場所に位置決めできることになるのは明らかである。さらに、ＬＥＤ１８は図１に示すように一列に形成されないこともあり、その代わりにＬＥＤ１８は、シリンダ１０の表面の様々な位置に個別に配置できる。
【００２３】
図２および５に示された別の実施形態では、ＬＥＤ１８は帯状体２０上に取り付けられ、その帯状体は、シリンダ１０に取り付けられる。帯状体２０は、適切な接着材を用いてシリンダ１０に取り付けることができ、あるいはＶＥＬＣＲＯ（登録商標）の名称で販売されているような、雄／雌リンク機構を介して取り付けることができる。この場合、リンク機構の一方の部材がシリンダ１０に取り付けられ、次いでそれはシリンダ１０にＬＥＤ１８を取り付けるために、帯状体２０に組み込まれた他方のリンク部材と係合する。
【００２４】
帯状体２０は、それに取り付けられたＬＥＤ１８に太陽光電力（ｓｏｌａｒ  ｐｏｗｅｒ）を供給するためのソーラー・ストリップ（ｓｏｌａｒ  ｓｔｒｉｐ）であってもよい。あるいは、帯状体２０はさらに、ＬＥＤ１８に電源供給するための電池（図示せず）を保持することができる。好ましい実施形態では、電池は、約１年の耐用期間を有する。したがって、輝きの弱いＬＥＤ１８により、消火器がその年次有効期間の期限が来ていることが示されるように、消火器に帯状体２０およびＬＥＤ１８が取り付けられる消火器の年次有効期間と電池の耐用期間を一致させることが可能になる。
【００２５】
図３および４は、消火器の「作業端（ｗｏｒｋｉｎｇ  ｅｎｄ）」を示す。ここでは、ＬＥＤ２２は、ハンドル１２のそれぞれの側でピン１４の位置の上に直接設けられている。ＬＥＤ２２は、帯状体２０がハンドルの上部を横切って延び、ピン１４の領域に向かってそれぞれの側に降りるように、帯状体２０に上述のように組み込まれる。帯状体２０は、既に説明した方法で消火器に取り付けることができる。さらなる実施形態（図示されない）では、ＬＥＤ２２は図３および４に示される位置でシリンダ１０の外側の面に埋め込まれ、あるいはそれと一体に形成される。別のＬＥＤ（図示されない）がピン１４自体の上に配置されてもよい。ＬＥＤ２２の位置は、ピン１４の領域に照明をもたらし、同時にピン１４を探しあてようとしている人の手を光で照らし、したがって、緊急時に消火器を作動させるためにピン１４を容易に即座に見つけることができるようにする。
【００２６】
図６は、このような消火器と共に使用できるスタンド２４を示す。スタンド２４は、基本的な形式で図示され描写されるに過ぎず、本発明は、消火器を保持するのに適した任意のタイプのスタンドに適用することができることが理解される。
【００２７】
スタンド２４は、上部に形成され、または取り付けられるＬＥＤ２６を有する。ＬＥＤ２６は、消火器がスタンド２６に置かれ連結点２８のところでスタンドに保持された場合に、その視認が妨げられないように、十分に高い位置に配置される必要がある。
【００２８】
ＬＥＤ２６は、スタンド２４に保持された消火器のシリンダ１０内に含まれる物質に関連する色を伝えるために選択できる。ＬＥＤ２６は、スタンド２４の上部に埋め込まれ、またはそれと一体に形成され、あるいは既に説明したように帯状体２０に取り付けることができる。
【００２９】
別のＬＥＤ２８がスタンド２４の基部３０に取り付けられ、またはその内部に形成されてもよい。ＬＥＤ２８の低い位置は、消火器のシリンダ１０に配置されたＬＥＤ１８の低い配置に関するものと同じ利点をもたらす。ここでも同様に、ＬＥＤ２８は、既に説明したように帯状体２０に取り付けることができる。
【００３０】
説明はＬＥＤである表示手段に言及するが、その手段は明らかに、任意の形式の発光手段であることができることが想定される。
【００３１】
別の実施形態では、ＬＥＤではなく、表示手段は、消火器または手段が取り付けられる消火器に関連するスタンドの位置を特定するのを助けるような、ある種の音響信号を提供する。表示器は、たとえばスピーカ、またはそれと同様の形式のものであることができる。出力される音響信号は、ホイッスルなどの感知される音響信号に応答して伝えられてもよい。
【００３２】
別の実施形態では、スタンド２４は、消火器１０がスタンド２４から取り外された場合に可視信号または可聴信号を提供する表示手段を組み込むことができ、使用後に使用者が消火器をその意図された位置に戻して収めるよう促すため、また消火器がその意図された収容場所から無くなっている場合に使用者に知らせるために、信号は消火器が元どおりスタンド２４に置かれたときに止まる。
【００３３】
上記に説明された実施形態は、例として与えられたに過ぎず、熟練された読み手は、本発明の範囲から逸脱せずに、それに多くの変形を加えることができることを必然的に理解するであろう。
【図面の簡単な説明】
【００３４】
【図１】本発明にしたがって構成された消火器の側面図である。
【図２】本発明にしたがって構成された消火器の他の実施形態の側面図である。
【図３】図１または２の消火器のハンドルおよびピンの側面図である。
【図４】図３の消火器のハンドルまたはピンの別の側からの図である。
【図５】本発明にしたがって構成された表示手段の平面図である。
【図６】本発明にしたがって構成されたスタンドの側面図である。
【図１】
2007508885.tif 000003
【図２】
2007508885.tif 000004
【図３】
2007508885.tif 000005
【図４】
2007508885.tif 000006
【図５】
2007508885.tif 000007
【図６】
2007508885.tif 000008
【国際調査報告】
2007508885.tif 000009
2007508885.tif 000010
2007508885.tif 000011